(57)【特許請求の範囲】
【請求項１】
磁気テープから再生された再生信号をＡ／Ｄ変換器に入力し、前記Ａ／Ｄ変換器からの再生信号を等化器に入力して等化するに際し、前記Ａ／Ｄ変換器への入力レベルを制御する再生エンベロープレベル制御装置であって、
前記磁気テープのローディング中に前記Ａ／Ｄ変換器からの再生信号をエンベロープ値としてサンプリングするサンプリング器と、
前記磁気テープから再生された再生信号の振幅を可変して前記Ａ／Ｄ変換器に入力する振幅可変手段と、
前記磁気テープから再生された再生信号の振幅可変量である振幅調整値の初期値を記憶する振幅調整値初期値記憶器と、
前記サンプリング器からの前記エンベロープ値の最大値と前記Ａ／Ｄ変換器の入力ダイナミックレンジの入力レベル目標値との差及び前記振幅調整値の初期値から適正な振幅調整値を演算する演算制御手段と、
前記振幅調整値の入力に従って前記振幅可変手段を制御する振幅制御手段と、
を備えたことを特徴とする、再生エンベロープレベル制御装置。
【請求項２】
請求項１の再生エンベロープレベル制御装置において、
前記最大値と前記目標値との差異に応じて前記振幅調整値を補正するためのテーブルを備え、前記演算を前記テーブルを参照して行う、ことを特徴とする再生エンベロープレベル制御装置。
【請求項３】
請求項２の再生エンベロープレベル制御装置において、
前記テーブルが、前記再生信号レベルが磁気テープのトラック内の各再生信号のエンベロープレベルの平均値を取る処理をしなかった場合についてのテーブルである、ことを特徴とする再生エンベロープレベル制御装置。
【請求項４】
請求項２の再生エンベロープレベル制御装置において、
前記テーブルが、前記再生信号のレベルを磁気テープのトラック内の各再生信号のエンベロープレベルの平均値を取る処理をした場合についてのテーブルである、ことを特徴とする再生エンベロープレベル制御装置。
【請求項５】
請求項２ないし４いずれかの再生エンベロープレベル制御装置において、
前記演算制御手段が、
振幅調整値の初期値を記憶する振幅調整値初期値メモリと、
前記Ａ／Ｄ変換器よりの再生信号のレベルを測定する再生信号レベル測定手段と、
前記演算のために前記最大値と前記目標値との差に応じて前記初期値に対しての補正量が決定された前記テーブルを備え、前記振幅調整値初期値メモリよりの振幅調整値初期値と前記再生信号レベル測定手段それぞれの再生信号レベルとを入力し、所定のタイミングで前記テーブルに従って前記演算を行う振幅調整値演算処理手段と、
を備えた、ことを特徴とする再生エンベロープレベル制御装置。
【請求項６】
請求項５の再生エンベロープレベル制御装置において、
前記演算制御手段が、
磁気テープの挿入状態を検出する挿入検出手段と、
磁気テープが再生可能な位置にくるまでの状態を検出する位置検出手段とをさらに備え、
前記挿入検出手段と位置検出手段との検出による磁気テープの状態に基づいて前記振幅調整値の演算のタイミングを制御する、ことを特徴とする再生エンベロープレベル制御装置。
【請求項７】
請求項５の再生エンベロープレベル制御装置において、
前記演算制御手段が、
磁気テープの挿入状態を検出する挿入検出手段と、
磁気テープが再生可能な位置にくるまでの状態を検出する位置検出手段と、
再生、記録、停止、等のモード情報を検出するモード情報検出手段とをさらに備え、
前記挿入検出手段と位置検出手段との検出による磁気テープの状態とモード情報検出手段によるモード情報とに基づいて前記振幅調整値の演算のタイミングを制御する、ことを特徴とする再生エンベロープレベル制御装置。
【請求項８】
請求項５の再生エンベロープレベル制御装置において、
前記演算制御手段が、
磁気テープの挿入状態を検出する挿入検出手段と、
磁気テープが再生可能な位置にくるまでの状態を検出する位置検出手段と、
再生、記録、停止、等のモード情報を検出するモード情報検出手段と、磁気テープの記録フォーマットを検出する記録フォーマット検出手段とをさらに備え、
前記挿入検出手段と位置検出手段との検出による磁気テープの状態とモード情報検出手段によるモード情報と記録フォーマット検出手段による記録フォーマット情報とに基づいて前記振幅調整値の演算のタイミングを制御する、ことを特徴とする再生エンベロープレベル制御装置。
【発明の詳細な説明】
【０００１】
【発明の属する技術分野】
本発明は、回転ドラムを備えたデジタルＶＴＲ等に備えられて、磁気テープから再生された再生信号をＡ／Ｄ変換器においてＡ／Ｄ変換してから等化処理するに際しそのＡ／Ｄ変換器への入力レベルを制御する再生エンベロープレベル制御装置に関する。なお、明細書でエンベとはエンベロープの略称である。
【０００２】
【従来の技術】
図１０に従来の再生エンベロープレベル制御装置を含むデジタルＶＴＲの要部の回路ブロック図が示されている。
【０００３】
１は、ディジタル信号を記録する磁気テープ、２ａは、プラスのアジマス角を持ち回転ドラム上に配置し磁気テープ１から信号を再生する磁気ヘッド、２ｂは、マイナスのアジマス角を持ち回転ドラム上で磁気ヘッド２ａと１８０度対向位置に配置し磁気テープ１から信号を再生する磁気ヘッド、３ａは、磁気ヘッド２ａからの再生信号をローター側からステータ側に伝送するロータリートランス、３ｂは、磁気ヘッド２ｂからの再生信号をローター側からステータ側に伝送するロータリートランスである。４は、磁気ヘッド２ａまたは２ｂのどちらからの再生信号を再生しているかの制御信号を生成するヘッドスイッチ生成器、５は、ロータリートランス３ａ，３ｂそれぞれからの再生信号をヘッドスイッチ生成器４によって交互に切換える切換器である。
【０００４】
６は、切換器５からの再生信号の振幅を振幅制御器１２からの制御で可変する振幅可変器である。７は振幅可変器６からの再生信号をディジタル値に変換するＡ／Ｄ変換器である。８はＡ／Ｄ変換器７からの再生信号データから電磁変換系で生じた符号間干渉を最適に等化する自動等化器であって、この自動等化器８から所要の再生信号が出力される。
【０００５】
９は、Ａ／Ｄ変換器７からの再生信号データからトラッキング情報を検出するトラッキング情報検出器であって、このトラッキング情報検出器９から磁気ヘッド２ａ，２ｂが磁気テープ１上のどのトラック番号をトラッキングしているかといったトラッキング情報が出力される。１０は、Ａ／Ｄ変換器７からの再生信号データから再生信号レベルをヘッドスイッチ生成器４からの制御で別々にサンプリングするエンベレベル検出器であって、このエンベレベル検出器１０から磁気ヘッド２ａ，２ｂが磁気テープ１のトラック上のどの位置をトラッキングしているかといったデータが出力される。
【０００６】
１１は、磁気ヘッド２ａ，２ｂからの再生信号の振幅可変量を別々に記憶する振幅調整値記憶器、１２はヘッドスイッチ生成器４の制御にしたがって振幅調整値記憶器１１からの振幅調整値をレベル変換する振幅制御器である。
【０００７】
ここで、振幅可変器６、振幅制御器１２および振幅調整値記憶器１１が、従来の再生エンベロープレベル制御装置を構成しており、Ａ／Ｄ変換器７への再生信号の入力レベルがその入力ダイナミックレンジを超えないように制御する。
【０００８】
【発明が解決しようとする課題】
このような従来の装置においては、振幅調整値を適正に設定しなければ、磁気テープ１の抗磁力のバラツキや磁気ヘッド２ａ，２ｂの経時変化による再生出力のバラツキなどにより、再生信号の入力レベルがＡ／Ｄ変換器７への入力ダイナミックレンジを超える場合がある。そこで、従来の装置では、このようなバラツキ等を考慮して、例えば製造業者により前記振幅調整値記憶器１１における振幅調整値の記憶値が工場出荷時等において設定されている。
【０００９】
しかしながら、従来の装置では、その後のユーザー側における使用条件やその環境の変化によっては、工場出荷時の当初に想定された使用状況や環境が異なり、場合によっては、再生信号の入力レベルがＡ／Ｄ変換器の入力ダイナミックレンジを超えた場合には振幅調整値が固定値であったから対処の方法がなかった。
【００１０】
そのため、ユーザー側での使用条件やその環境の変化があっても再生信号の入力レベルがＡ／Ｄ変換器の入力ダイナミックレンジを超えないように振幅制御器１２に対する振幅調整値を制御できるようにすることが要求されている。
【００１１】
本発明は、磁気テープの抗磁力のバラツキや磁気ヘッドの経時変化による再生出力のバラツキ、その他によってＡ／Ｄ変換器への入力信号レベルがＡ／Ｄ変換器の入力ダイナミックレンジを超えないように振幅制御器に対する振幅調整値を適正に制御できるようにすることを解決課題とする。
【００１２】
【課題を解決するための手段】
本発明の再生エンベロープレベル制御装置は、磁気テープから再生された再生信号をＡ／Ｄ変換器に入力し、前記Ａ／Ｄ変換器からの再生信号を等化器に入力して等化するに際し、前記Ａ／Ｄ変換器への入力レベルを制御する再生エンベロープレベル制御装置であって、前記磁気テープのローディング中に前記Ａ／Ｄ変換器からの再生信号をエンベロープ値としてサンプリングするサンプリング器と、前記磁気テープから再生された再生信号の振幅を可変して前記Ａ／Ｄ変換器に入力する振幅可変手段と、前記磁気テープから再生された再生信号の振幅可変量である振幅調整値の初期値を記憶する振幅調整値初期値記憶器と、前記サンプリング器からの前記エンベロープ値の最大値と前記Ａ／Ｄ変換器の入力ダイナミックレンジの入力レベル目標値との差及び前記振幅調整値の初期値から適正な振幅調整値を演算する演算制御手段と、前記振幅調整値の入力に従って前記振幅可変手段を制御する振幅制御手段とを備えたものである。
【００１３】
本発明によると、磁気テープの抗磁力のバラツキや磁気ヘッドの経時変化による再生出力のバラツキがあって、Ａ／Ｄ変換器の再生信号のエンベロープが変化した場合、この変化に従い、適正な振幅調整値を演算し、この演算値を振幅調整値とするので、工場出荷後からのユーザ側における当初の予測を超える使用条件やその環境の変化があっても再生信号の入力レベルがＡ／Ｄ変換器の入力ダイナミックレンジを越えるようなことがなくなり、したがって、安定して再生信号のレベルを制御することができる。
【００１５】
また、再生エンベロープレベルがＡ／Ｄ変換器の入力レベル目標値になるように正確に振幅調整値を演算することができるので、Ａ／Ｄ変換器の分解性能を十分引き出すことができる安定した再生信号のレベルを制御することができる。
【００１６】
本発明の好ましい実施態様として、前記最大値と前記目標値との差異に応じて前記振幅調整値を補正するためのテーブルを備え、前記演算を前記テーブルを参照して行う。
【００１７】
こうした場合、再生エンベロープレベルをＡ／Ｄ変換器の入力レベル目標値にするための振幅調整値の補正量をあらかじめ決めておくことにより、振幅調整値をもとめる際の演算処理時間を短縮することができ、瞬時に安定した再生信号のレベルを制御することができる。
【００１８】
本発明の好ましい実施態様として、前記テーブルが、前記再生信号レベルが磁気テープのトラック内の各再生信号のエンベロープレベルの平均値を取る処理をしなかった場合についてのテーブルである。
【００１９】
こうした場合、再生ヘッドが磁気テープの記録トラックをオントラック再生しているしていないに関係なく、エンベロープ値の最大値がＡ／Ｄ変換器への入力レベルの最大値となる。エンベロープ値の最大値と入力レベル目標値との差に応じた振幅調整値の補正量をあらかじめ決めておくことにより、振幅調整値を求める際の演算処理時間を短縮することができ、瞬時に安定した再生信号のレベルを制御することができる。
【００２０】
本発明の好ましい実施態様として、前記テーブルが、前記再生信号のレベルを磁気テープのトラック内の各再生信号のエンベロープレベルの平均値を取る処理をした場合についてのテーブルである。
【００２１】
こうした場合、再生ヘッドが記録媒体の記録トラックをオントラック再生している時としていない時とで、エンベロープ値の最大値が異なってくる。
オフトラック再生時のエンベロープ最大値からの振幅調整値の補正量をあらかじめ決めておくことにより、入力レベル目標値とエンベロープ値の最大値の差を演算するときに必要なレベル変換にかかる演算処理時間を短縮でき、瞬時に安定した再生信号のレベルを制御することができる。
【００２２】
本発明の好ましい実施態様として、前記演算制御手段が、振幅調整値の初期値を記憶する振幅調整値初期値メモリと、前記Ａ／Ｄ変換器よりの再生信号のレベルを測定する再生信号レベル測定手段と、前記演算のために前記最大値と前記目標値との差に応じて前記初期値に対しての補正量が決定された前記テーブルを備え、前記振幅調整値初期値メモリよりの振幅調整値初期値と前記再生信号レベル測定手段それぞれの再生信号レベルとを入力し、所定のタイミングで前記テーブルに従って前記演算を行う振幅調整値演算処理手段とを備える。
【００２３】
こうした場合、振幅調整値初期値メモリに、基準の磁気テープを用いてＡ／Ｄ変換器へ入力される再生信号のレベルがその入力ダイナミックレンジの１／２になる振幅調整値を初期値として記憶させておき、前記最大値と目標値との差に対して、初期値からの補正量を容易に演算することができ、振幅調整値を正確に決定することができる。
【００２４】
本発明の好ましい実施態様として、前記演算制御手段が、磁気テープの挿入状態を検出する挿入検出手段と、磁気テープが再生可能な位置にくるまでの状態を検出する位置検出手段とをさらに備え、前記挿入検出手段と位置検出手段との検出による磁気テープの状態に基づいて前記振幅調整値の演算のタイミングを制御する。
【００２５】
こうした場合、例えば、磁気テープの挿入検出後、磁気テープが再生可能な適正位置にくるまでの間、再生信号エンレベルを測定し、磁気テープが再生可能な適正位置にきた直後に、測定した再生信号エンレベルの平均値やピーク値を求め、テーブルのデータと比較して、より最適な振幅調整値を求め振幅可変手段を制御できることになる。
本発明の好ましい実施態様として、前記演算制御手段が、磁気テープの挿入状態を検出する挿入検出手段と、磁気テープが再生可能な位置にくるまでの状態を検出する位置検出手段と、再生、記録、停止、等のモード情報を検出するモード情報検出手段とをさらに備え、前記挿入検出手段と位置検出手段との検出による磁気テープの状態とモード情報検出手段によるモード情報とに基づいて前記振幅調整値の演算のタイミングを制御する。
【００２６】
本発明の好ましい実施態様として、前記演算制御手段が、 磁気テープの挿入状態を検出する挿入検出手段と、磁気テープが再生可能な位置にくるまでの状態を検出する位置検出手段と、再生、記録、停止、等のモード情報を検出するモード情報検出手段と、磁気テープの記録フォーマットを検出する記録フォーマット検出手段とをさらに備え、前記挿入検出手段と位置検出手段との検出による磁気テープの状態とモード情報検出手段によるモード情報と記録フォーマット検出手段による記録フォーマット情報とに基づいて前記振幅調整値の演算のタイミングを制御する。
【００２７】
こうした場合、例えば、複数のフォーマットが再生できるＶＴＲの場合、フォーマットによって再生ヘッドと磁気テープとの相対速度が変化する。磁気テープの挿入検出後、磁気テープが再生可能な適正位置にきて、さらに磁気テープの記録フォーマットを正しく検知し、再生ヘッドと磁気テープとの相対速度が安定した時点で再生信号レベルデータを一定時間測定し、測定した再生信号のエンレベルの平均値やピーク値を求め、テーブルのデータと比較して測定期間中のモード情報によってより最適に振幅調整値を求め振幅可変手段を制御できる。
【００２８】
【発明の実施の形態】
以下、本発明の詳細を図１から図９を参照して説明する。
【００２９】
（実施の形態１）
図１は、本発明の実施形態１に従う再生エンベロープレベル制御装置を含むデジタルＶＴＲの要部の回路ブロック図を示し、図１０と同一の符号に係る部分については同一の符号を付すと共に、その同一の符号に係る部分については名称を列記するに止めその詳しい説明は省略する。
【００３０】
図１において、１は、磁気テープ、２ａ、２ｂは、磁気ヘッド、３ａ、３ｂは、ロータリートランス、４は、ヘッドスイッチ生成器、５は、切換器、６は、記録媒体である磁気テープ１から再生された再生信号の振幅を可変できる振幅可変手段としての振幅可変器である。
【００３１】
７は、Ａ／Ｄ変換器、８は、自動等化器、９は、トラッキング情報検出器、１０は、振幅可変器６からの再生信号レベルを検出する再生信号レベル検出手段としてのエンベレベル検出器、１２は、振幅調整値に従って振幅可変器６を制御する振幅制御器である。
【００３２】
実施形態１において特徴とする構成は、従来の振幅調整記憶器１１に代えて次の演算制御手段Ａ１を配備したことである。
【００３３】
すなわち、実施形態１における演算制御手段Ａ１は、要するに、Ａ／Ｄ変換器７からの再生信号のエンベロープレベルから適正な振幅調整値を演算し、この演算値を前記振幅調整値として前記振幅制御器に入力するものであり、前記演算が、Ａ／Ｄ変換器７からの再生信号のエンベロープの所定値、好ましくは最大値と、前記Ａ／Ｄ変換器７の入力ダイナミックレンジの入力レベル目標値との差から振幅調整値を演算するものである。
【００３４】
この場合、演算制御手段Ａ１は、前記最大値と前記目標値との差異に応じて前記振幅調整値を補正するためのテーブルを備え、前記演算を前記テーブルを参照して行うようになっている。
【００３５】
演算制御手段Ａ１は、具体的には、図１で示すように、カセット検出器２０と、ローディング位置検出器２１と、中央制御器２２と、エンベデータサンプリング器２３と、振幅調整値初期値メモリ２４と、振幅調整値演算処理器２５とを備える。
【００３６】
カセット検出器２０は、記録媒体の挿入、排出の各状態を検出する挿入検出手段として、磁気テープ１を収納するカセットのＶＴＲ内への所定位置への挿入と所定位置への排出をカセット挿入情報として検出する。
【００３７】
ローディング位置検出器２１は、記録媒体が再生可能な適正位置にくるまでの状態を検出する位置検出手段として、磁気テープ１が回転ドラムに巻き付けられる状態に対応してローディングやアンローディングのローディング位置情報として検出する。
【００３８】
中央制御器２２は、カセット検出器２０から入力する前記カセット挿入情報とローディング位置検出器２１から入力する前記ローディング位置情報それぞれから、エンベデータサンプリング器２３と振幅調整値演算処理器２５それぞれに対するエンベレベルサンプリングと振幅調整値演算それぞれのタイミング信号を生成する。
【００３９】
エンベデータサンプリング器２３は、カセット検出器２０によるカセット挿入情報がカセット挿入であると検出したときからローディング位置検出器２１によるローディング位置情報から磁気テープ１が再生可能な適正位置に来たことを検出するまでの間（ローディング中）、再生信号レベル測定手段として、中央制御器２２からの制御でエンベレベル検出器１０からの再生信号レベルをサンプリングする。
【００４０】
振幅調整値初期値メモリ２４は、振幅調整値を調整するために用いられる基準の磁気テープをオントラック再生したときに、Ａ／Ｄ変換器７への再生信号レベルが各磁気ヘッド２ａ，２ｂ毎に当該Ａ／Ｄ変換器７の入力ダイナミックレンジの１／２になる振幅調整値の初期値を記憶している。
【００４１】
振幅調整値演算処理器２５は、中央制御器２２からの制御によりエンベデータサンプリング器２３でサンプリングされたエンベデータの最大値を求め、その最大値とＡ／Ｄ変換器７の入力ダイナミックレンジの入力レベル目標値との差を演算し、両値の差をなくすための振幅調整値演算を振幅調整値初期値メモリ２４からの振幅調整値の初期値を元に図３および図４で示されるテーブルに従って演算する。
【００４２】
図２ないし図４を参照して実施形態１の動作を説明する。
【００４３】
ここで図２は、図１の再生エンベロープレベル制御装置の動作シーケンスを示し、図３は、エンベレベル検出器１０がエンベレベルをトラック内平均値処理しない場合の振幅調整値の補正の演算に用いるテーブルを示す、図４は、エンベレベル検出器１０がエンベレベルをトラック内平均値処理する場合の振幅調整値の補正の演算に用いるテーブルを示す。
【００４４】
図２において、ａはカセット挿入検出、カセット排出検出の各タイミングを示し、ｂはアンローディング、ローディング中、ローディング完了、アンローディング中、アンローディングの各タイミングを示し、ｄはサンプリングＯＦＦ（サンプリングしていない）、サンプリングＯＮ（サンプリングしている）の各タイミングを示し、ｅは振幅調整値の初期値設定、振幅調整値の補正量演算、振幅調整値の補正量設定、振幅調整値の初期値設定の各タイミングを示している。
【００４５】
図３および図４において、再生信号のエンベロープ最大値−入力ダイナミックレンジの入力レベル目標値＝エンベレベル差Ｘと、それに対応する振幅調整値の初期値からの補正量（初期値から補正された値が振幅調整値として設定される）の関係を示している。図３のテーブルにおいては、前記Ｘ＞＋６ｄＢのときは振幅調整値初期値から−６ｄＢ減らした値を振幅調整値とし、＋６ｄＢ≧Ｘ＞＋３ｄＢのときは振幅調整値初期値から−３ｄＢ減らした値を振幅調整値とし、＋３ｄＢ≧Ｘのときは振幅調整値初期値を０ｄＢつまり初期値そのままを振幅調整値とする。また、図４のテーブルにおいては、前記Ｘ＞＋３ｄＢのときは振幅調整値初期値から−６ｄＢ減らした値を振幅調整値とし、＋３ｄＢ≧Ｘ＞＋１．５ｄＢのときは振幅調整値初期値から−３ｄＢ減らした値を振幅調整値とし、＋１．５ｄＢ≧Ｘのときは振幅調整値初期値から０ｄＢつまり初期値そのままを振幅調整値とする。
【００４６】
カセット検出器２０によりカセット排出状態と検出されるとき、中央制御器２２は、振幅調整値演算処理器２５に対し振幅調整値初期値メモリ２４の振幅調整値の初期値を補正演算せずに、振幅制御器１２にその初期値をそのまま振幅調整値として供給し振幅可変器６を制御する。
【００４７】
カセット検出器２０によりカセット挿入状態と検出されるとき、中央制御器２２はエンベデータサンプリング器２３に対しエンベレベル検出器１０からのエンベデータのサンプリングを開始させる。
【００４８】
ローディング位置検出器２１が磁気テープ１のローディング完了を検出すると、中央制御器２２はエンベデータサンプリング器２３に対しエンベレベル検出器１０からのエンベデータのサンプリングを終了させる。
【００４９】
そして、その直後、中央制御器２２は振幅調整値演算処理器２５に対しエンベデータサンプリング器２３でサンプリングしたエンベデータの中から最大値のサンプルを探し、エンベレベル検出器１０がエンベレベルをトラック内平均値処理しない場合はエンベレベル差Ｘ＝（最大値−Ａ／Ｄ変換器の入力ダイナミックレンジの１／２）を求め、エンベレベル検出器１０がエンベレベルをトラック内平均値処理する場合はエンベレベル差Ｘ＝（最大値−Ａ／Ｄ変換器の入力ダイナミックレンジの１／４）を求める。
【００５０】
磁気テープ１のローディング中はオントラック再生できないので、エンベレベルをトラック内で平均するとオントラック再生時の１／２のレベルとなる。
【００５１】
振幅調整値演算処理器２５は、エンベレベル検出器１０がエンベレベルをトラック内平均値処理（磁気テープのトラック内の各再生信号のエンベレベルの平均値を求める処理）しない場合は図３のテーブルにしたがって、また、エンベレベル検出器１０がエンベレベルをトラック内平均値処理する場合は図４のテーブルにしたがって、それぞれ、振幅調整値初期値メモリ２４の各ヘッドの振幅初期値を補正演算し、その演算結果を振幅調整値として振幅制御器２５に供給し振幅可変器６を制御する。
【００５２】
これ以降、カセット検出器２０によりカセット排出状態が検出されるまで上記補正後の振幅調整値が維持される。
【００５３】
カセット検出器２０によりカセット排出状態が検出されるとき、中央制御器２２は、振幅調整値演算処理器２５に対し振幅調整値初期値メモリ２４の振幅初期値を補正演算せずに、振幅調整値として振幅制御器１２に供給し振幅可変器６を制御する。
【００５４】
以上のように実施形態１では、磁気テープ１の抗磁力のバラツキや磁気ヘッド２ａ，２ｂの経時変化による再生出力のバラツキ、その他によってＡ／Ｄ変換器７への入力信号レベルがＡ／Ｄ変換器７の入力ダイナミックレンジを超えないように振幅制御器１２に対する振幅調整値を制御できる。
【００５５】
（実施の形態２）
図５は、本発明の実施形態２に従う再生エンベロープレベル制御装置を含むデジタルＶＴＲの要部の回路ブロック図を示しており、図１と対応する部分には同一の符号を付しその同一の符号に係る部分についての詳しい説明は省略する。
【００５６】
実施形態２で特徴とする演算制御手段Ａ２は、モードスイッチ検出器２６を加えたことである。このモードスイッチ検出器２６が、モード情報検出手段の一例として、再生、記録、停止等のモード情報を検出するようになっている。
【００５７】
中央制御器２２は、カセット検出器２０からのカセット挿入情報とローディング位置検出器２１からのローディング位置情報とからエンベレベルサンプリングと振幅調整値演算のタイミング信号を生成しエンベレベルサンプリング時のモードスイッチ検出器２６からのモード情報から振幅調整値演算方法を選択制御するようになっている。
【００５８】
図６を参照して動作を説明する。図６は、図５の再生エンベロープレベル制御装置においてカセット挿入時点からローディング完了の間、モード情報に変化がない場合の動作シーケンスを示している。図６ａ，ｂ，ｄ，ｅは、図２のａ，ｂ，ｄ，ｅにそれぞれ対応し、図６ｃは、モード情報を示している。
【００５９】
カセット検出器２０によりカセット排出状態と検出されるとき中央制御器２２は振幅調整値演算処理器２５に対し振幅調整値初期値メモリ２４の振幅初期値を補正演算せずに振幅調整値として振幅制御器１２に供給し振幅可変器６を制御する。
【００６０】
カセット検出器２０によりカセット挿入状態と検出されるとき、ローディング位置検出器２１がローディング完を検出すると、中央制御器２２はこの時点のモードスイッチ検出器２６からのモード情報を保持するとともにエンベデータサンプリング器２３に対しエンベレベル検出器１０からのエンベデータを一定時間サンプリングさせる。サンプリング終了直後、中央制御器２２は振幅調整値演算処理器２５に対しエンベデータサンプリング器２３でサンプリングしたエンベデータの中から最大値のサンプルを探し、エンベレベル検出器１０がエンベレベルをトラック内平均値処理しない場合はエンベレベル差＝（最大値−Ａ／Ｄ入力ダイナミックレンジの１／２）を求め、エンベレベル検出器１０がエンベレベルをトラック内平均値処理する場合はエンベレベル差＝（最大値−Ａ／Ｄ入力ダイナミックレンジの１／４）を求める。カセット挿入検出からローディング完了になるまでモード情報は変化していないので、ローディング完了時、磁気テープ１は停止状態となる。したがって、エンベデータサンプリング中はオントラック再生できないので、エンベレベルをトラック内で平均するとオントラック再生時の１／２のレベルとなる。調整値演算処理器２５は、エンベレベル検出器１０がエンベレベルをトラック内平均値処理しない場合は図３のテーブルにしたがって、また、エンベレベル検出器１０がエンベレベルをトラック内平均値処理する場合は図４のテーブルにしたがって、それぞれ、振幅調整値初期値メモリ２４の各ヘッドの振幅初期値を補正演算し、その演算結果を振幅調整値として振幅制御器１２に供給し振幅可変器６を制御する。
【００６１】
これ以降、カセット検出器２０がカセット排出状態を検出するまで補正後の振幅調整値が維持される。カセット検出器２０によりカセット排出状態が検出されると、中央制御器２２は、振幅調整値演算処理器２５に対し振幅調整値初期値メモリ２４の振幅初期値を補正演算せずに、この振幅初期値を振幅調整値として振幅制御器１２に供給し振幅可変器６を制御する。
【００６２】
図７は、図５の再生エンベロープレベル制御装置においてカセット挿入時点からローディング完了の間にモードスイッチ情報が再生に変化した場合の動作シーケンス図を示している。図７ａ，ｂ，ｄ，ｅは、図２のａ，ｂ，ｄ，ｅにそれぞれ対応し、図７ｃは、モード情報を示している。
【００６３】
カセット検出器２０によりカセット挿入と検出されるとき、ローディング位置検出器２１がローディング完了を検出すると、中央制御器２２はこの時点のモードスイッチ検出器２６からのモード情報を保持するとともにエンベデータサンプリング器２３に対し安定なオントラック再生状態になった時点でエンベレベル検出器１０からのエンベデータを一定時間サンプリングさせる。サンプリング終了直後、中央制御器２２は振幅調整値演算処理器２５に対しエンベデータサンプリング器２３でサンプリングしたエンベデータの中から最大値のサンプルを探し、エンベレベル差＝（最大値−Ａ／Ｄ入力ダイナミックレンジの１／２）を求める。調整値演算処理器２５は、図３のテーブルにしたがって振幅調整値初期値メモリ２４の各ヘッドの振幅初期値を補正演算し、その演算結果を振幅調整値として振幅制御器１２に供給し振幅可変器６を制御する。
【００６４】
以上のように実施形態２でも、実施形態１と同様に、磁気テープ１の抗磁力のバラツキや磁気ヘッド２ａ，２ｂの経時変化による再生出力のバラツキ、その他によってＡ／Ｄ変換器７への入力信号レベルがＡ／Ｄ変換器７の入力ダイナミックレンジを超えないように振幅制御器１２に対する振幅調整値を制御できるとともに、さらに、モード情報により、振幅調整値演算方法を選択制御できて、より好ましい振幅調整値を設定できる。
【００６５】
（実施の形態３）
図８は、本発明の実施形態３に従う再生エンベロープ制御装置を含むデジタルＶＴＲの要部の回路ブロック図を示しており、図５と対応する部分には同一の符号を付しその同一の符号に係わる部分についての詳しい説明は省略する。実施形態３で特徴とする演算制御手段Ａ３は、２つの記録フォーマットを再生できるＶＴＲにおいて、各フォーマット別の振幅初期値をもつ振幅調整値メモリ２７と振幅調整値メモリ２８を備え、さらに再生されている記録媒体の記録フォーマットを検出する記録フォーマット検出器２９を備えている。
この記録フォーマット検出器２９が、記録フォーマット情報検出手段として、記録媒体の記録フォーマット情報を検出するようになっている。振幅調整値メモリ切換器３０は記録フォーマット検出器２９からの記録フォーマット情報を受けた中央制御器２２によって振幅調整値メモリ２７または振幅調整値メモリ２８から記録媒体の記録フォーマットに従った振幅調整値初期値を選択し、振幅調整値演算処理器２５に送信する。また、中央制御器２２は、カセット検出器２０からのカセット挿入情報とローディング位置検出器２１からのローディング位置情報と記録フォーマット検出器２９からの記録フォーマット情報とからエンベサンプリングと振幅調整演算のタイミング信号を生成しエンベサンプリング時のモードスイッチ検出器２６からのモード情報から振幅調整値演算方法を選択制御するようになっている。
【００６６】
図９を参照して動作を説明する。図９は、図８の再生エンベロープレベル制御装置においてカセット挿入時点からローディング完了の間、モード情報に変化がない場合の動作シーケンスを示している。図９ａ，ｂ，ｃ，ｄ，ｅは図６のａ，ｂ，ｃ，ｄ，ｅにそれぞれ対応し、図９ｆは、記録フォーマット情報を示している。カセット検出器２０によりカセット排出状態と検出されるとき中央制御器２２は振幅調整値演算処理器２５に対し振幅調整値初期値メモリ２７，２８のいずれかの記録フォーマット情報に応じた振幅初期値を補正演算せずに振幅調整値として振幅制御器１２に供給し振幅可変機６を制御する。
【００６７】
カセット検出器２０によりカセット挿入状態と検出されるとき、ローディング位置検出器２１がローディング完を検出し、記録フォーマット検出器２９が、有効な記録フォーマット情報を検出する。その後、記録フォーマット変更によって磁気テープ１と磁気ヘッド２ａ，２ｂの相対速度が安定するまで中央制御器２によりＡ時間待機する。待機時間Ａを経過すると、中央制御器２２はこの時点のモードスイッチ検出器２６からのモード情報を保持するとともにエンベデータサンプリング器２３にたいしエンベレベル検出器１０からのエンベデータを一定時間サンプリングさせる。サンプリング終了後、中央制御器２２は振幅調整値演算処理器２５に対しエンベデータサンプリング器２３でサンプリングしたエンベデータのなかから最大値のサンプルを探し、エンベレベル検出器１０がエンベレベルをトラック内平均値処理しない場合はエンベレベル差＝（最大値−Ａ／Ｄ入力ダイナミックレンジの１／２）を求め、エンベレベル検出器１０がエンベレベルをトラック内平均値処理する場合はエンベレベル差＝（最大値−Ａ／Ｄ入力ダイナミックレンジの１／４）を求める。
【００６８】
その後中央制御器２２によって記録フォーマット検出器２９からの記録フォーマット情報にしたがって振幅初期値を振幅調整値初期値メモリ２７または振幅初期値を振幅調整値初期値メモリ２８から読み出し、振幅初期値を前記エンベレベル差にしたがって補正演算し、その演算結果を振幅調整値として振幅制御器１２に供給し振幅可変器６を制御する。
【００６９】
これ以降、カセット検出器２０がカセット排出状態を検出するまで補正後の振幅調整値が維持される。カセット検出器２０によりカセット排出状態が検出されると、中央制御器２２は、振幅調整値演算処理器２５に対し記録フォーマット情報にしたがって振幅調整値初期値メモリ２７または２８からの振幅初期値を補正演算せずに、この振幅初期値を振幅調整値として振幅制御器１２に供給し振幅可変器６を制御する。
【００７０】
以上のように実施形態３でも、実施形態１、実施形態２と同様に、磁気テープ１の抗磁力のバラツキや磁気ヘッド２ａ，２ｂの経時変化による再生出力のバラツキ、その他によってＡ／Ｄ変換器７への入力信号レベルがＡ／Ｄ変換器７の入力ダイナミックレンジを超えないように振幅制御器１２に対する振幅調整値を制御できるとともに、さらに、モード情報により、振幅調整演算方法を選択でき、記録フォーマット情報により磁気テープ１と磁気ヘッド２ａ，２ｂの相対速度が変化する過渡の状態で誤ってエンベデータをサンプリングすることが無いので、記録フォーマットにしたがって確実により好ましい振幅調整値を設定できる。
【００７１】
【発明の効果】
以上のように本発明によれば、磁気テープの抗磁力のバラツキや磁気ヘッドの経時変化による再生出力のバラツキがあった場合、Ａ／Ｄ変換器の再生信号のエンベロープレベルが変化するが、この変化に従い、適正な振幅調整値を演算し、この演算値を振幅調整値とするので、工場出荷後からのユーザ側における当初の予測を超える使用条件やその環境の変化があっても再生信号の入力レベルがＡ／Ｄ変換器の入力ダイナミックレンジを越えるようなことがなくなり、したがって、安定して再生信号のレベルを制御することができる。
【００７２】
したがって、磁気テープの抗磁力のバラツキ、磁気ヘッドの摩耗による再生出力の変化に対し安定な再生信号のＡ／Ｄ変換が可能となるので、自動等化器の安定動作とサーボの正確なトラッキング動作を確保することができ、識別データの安定な誤り率を確保できるという効果が得られる。
【００７３】
一方、磁気テープを挿入しローディングが完了してからＡ／Ｄ変換器の入力レベルをサンプリングすると、磁気テープと磁気ヘッドの接触状態が非常に安定となり、サンプリング中のモード情報から正確な振幅制御ができるので、Ａ／Ｄ変換器への再生信号入力レベルをより一層安定に供給できるという有利な効果が得られる。
【００７４】
また、Ａ／Ｄ変換器への再生信号入力レベルの制御は、磁気テープを挿入したときの一度しか行わないので、磁気テープ再生状態でのサーボのトラッキング制御に影響を与えないという効果がある。
【図面の簡単な説明】
【図１】本発明の実施形態１の再生エンベロープレベル制御装置を含むデジタルＶＴＲの要部の回路ブロック図
【図２】本発明の実施形態１の再生エンベロープレベル制御装置の動作シーケンス図
【図３】本発明の実施形態１の再生エンベロープレベル制御装置のエンベレベル検出器がエンベレベルをトラック内平均値処理しない場合の振幅調整値補正量変換テーブル図
【図４】本発明の実施形態１の再生エンベロープレベル制御装置のエンベレベル検出器がエンベレベルをトラック内平均値処理する場合の振幅調整値補正量変換テーブル図
【図５】本発明の実施形態２の再生エンベロープレベル制御装置を含むデジタルＶＴＲの要部の回路ブロック図
【図６】本発明の実施形態２の再生エンベロープレベル制御装置においてカセット挿入時点からローディング完了の間モードスイッチ情報に変化がない場合の動作シーケンス図
【図７】本発明の実施形態２の再生エンベロープレベル制御装置においてカセット挿入時点からローディング完了の間にモードスイッチ情報が再生に変化した場合の動作シーケンス図
【図８】本発明の実施形態３の再生エンベロープレベル制御装置を含むデジタルＶＴＲの要部の回路ブロック図
【図９】本発明の実施形態３の再生エンベロープレベル制御装置においてカセット挿入時点からローディング完了で記録フォーマット情報が確定した場合の動作シーケンス図
【図１０】従来の再生エンベローブレベル制御装置を含むデジタルＶＴＲの要部の回路ブロック図
【符号の説明】
１  磁気テープ
６  振幅可変器
７  Ａ／Ｄ変換器
１０  エンベレベル検出器
Ａ１，Ａ２，Ａ３  演算制御手段
２０  カセット検出器
２１  ローディング位置検出器
２２  中央制御器
２３  エンベデータサンプリング器
２５  調整値演算処理器
２６  モードスイッチ検出器
２４，２７，２８  振幅調整値初期値メモリ
２９  記録フォーマット検出器
【図１】
0003674760.tif 000002
【図２】
0003674760.tif 000003
【図３】
0003674760.tif 000004
【図４】
0003674760.tif 000005
【図５】
0003674760.tif 000006
【図６】
0003674760.tif 000007
【図７】
0003674760.tif 000008
【図８】
0003674760.tif 000009
【図９】
0003674760.tif 000010
【図１０】
0003674760.tif 000011